【事件の表示】
　特許第６７３６１１４号発明「器搬送システム」の特許異議申立事件について、次のとおり決定する。
【結　論】
　特許第６７３６１１４号の請求項１ないし１０に係る特許を維持する。
【理　由】
第１　手続の経緯
　特許第６７３６１１４号の請求項１〜１０に係る特許（以下、「本件特許」という。）についての出願は、令和２年１月９日に出願され、令和２年７月１７日にその特許権の設定登録がされ、令和２年８月５日に特許掲載公報が発行された。その後、本件特許に対し、令和３年２月４日に特許異議申立人山▲崎▼浩一郎は、特許異議の申立てを行った。
　
第２　本件特許発明
　特許第６７３６１１４号の請求項１〜１０に係る発明（以下、「本件特許発明１」〜「本件特許発明１０」という。）は、それぞれ、その特許請求の範囲の請求項１〜１０に記載された事項により特定される次のとおりのものである。
「【請求項１】
　飲食物を載せＩＣタグが取り付けられる器を搬送する搬送レーンと、
　前記搬送レーンにおいて搬送方向と直交する幅方向の端側にあり、前記搬送レーンから取り出されて前記搬送レーンに沿うテーブル側に移動中の器のＩＣタグを読み取る第１アンテナと、を備え、
　前記搬送レーンは、高さ位置の異なる複数の搬送レーンを備え、
　前記第１アンテナは、前記搬送レーン毎にあり、対応する搬送レーンから取り出されて前記テーブル側に移動中の器のＩＣタグを読み取ることを特徴とする器搬送システム。
【請求項２】
　前記テーブルに設置され、前記テーブル上の器のＩＣタグを読み取る第２アンテナと、
　前記第１アンテナおよび前記第２アンテナが取得するＩＣタグの読取情報に基づき、前記テーブル上の器のうち、前記搬送レーンから取り出された器と、前記搬送レーンを経ずに前記テーブルに運ばれた器と、を特定する計算手段と、
　を備えることを特徴とする請求項１に記載の器搬送システム。
【請求項３】
　前記搬送レーンとして、注文品を搬送する注文用搬送レーンを備え、
　前記計算手段は、前記第１アンテナおよび前記第２アンテナが取得するＩＣタグの読取情報に基づき、前記テーブル上の器のうち、前記注文用搬送レーンから取り出された器と、前記注文用搬送レーンを経ずに前記テーブルに運ばれた器と、を特定し、総売上に対する注文品の総売り上げの割合を計算することを特徴とする請求項２に記載の器搬送システム。
【請求項４】
　前記搬送レーンとして、注文品を調理場から搬送台により搬送する注文用搬送レーンを備え、
　前記テーブルに設置され、前記テーブル上の器のＩＣタグを読み取る第２アンテナと、
　前記注文品を載せた器のＩＣタグの読取情報が前記第１アンテナおよび前記第２アンテナにて取得されると、前記注文用搬送レーンにより前記搬送台を前記調理場に戻させる指令を出力する計算手段と、
　を備えることを特徴とする請求項１に記載の器搬送システム。
【請求項５】
　前記第２アンテナは、グループ客用の前記テーブルにおいて、客毎に設置されることを特徴とする請求項２から４のいずれか１つに記載の器搬送システム。
【請求項６】
　飲食物を載せＩＣタグが取り付けられる器を搬送する搬送レーンと、
　前記搬送レーンにおいて搬送方向と直交する幅方向の端側にあり、前記搬送レーンから取り出されて前記搬送レーンに沿うテーブル側に移動中の器のＩＣタグを読み取る第１アンテナと、
　前記テーブルに設置され、前記テーブル上の器のＩＣタグを読み取る第２アンテナと、
　前記第１アンテナおよび前記第２アンテナが取得するＩＣタグの読取情報に基づき、前記テーブル上の器のうち、前記搬送レーンから取り出された器と、前記搬送レーンを経ずに前記テーブルに運ばれた器と、を特定する計算手段と、
　を備えることを特徴とする器搬送システム。
【請求項７】
　前記搬送レーンとして、注文品を搬送する注文用搬送レーンを備え、
　前記計算手段は、前記第１アンテナおよび前記第２アンテナが取得するＩＣタグの読取情報に基づき、前記テーブル上の器のうち、前記注文用搬送レーンから取り出された器と、前記注文用搬送レーンを経ずに前記テーブルに運ばれた器と、を特定し、総売上に対する注文品の総売り上げの割合を計算することを特徴とする請求項６に記載の器搬送システム。
【請求項８】
　前記第２アンテナは、グループ客用の前記テーブルにおいて、客毎に設置されることを特徴とする請求項６または７に記載の器搬送システム。
【請求項９】
　注文品である飲食物を載せＩＣタグが取り付けられる器を、搬送台によって調理場から搬送する注文用搬送レーンと、
　前記注文用搬送レーンにおいて搬送方向と直交する幅方向の端側にあり、前記注文用搬送レーンから取り出されて前記注文用搬送レーンに沿うテーブル側に移動中の器のＩＣタグを読み取る第１アンテナと、
　前記テーブルに設置され、前記テーブル上の器のＩＣタグを読み取る第２アンテナと、
　前記注文品を載せた器のＩＣタグの読取情報が前記第１アンテナおよび前記第２アンテナにて取得されると、前記注文用搬送レーンにより前記搬送台を前記調理場に戻させる指令を出力する計算手段と、
　を備えることを特徴とする器搬送システム。
【請求項１０】
　前記第２アンテナは、グループ客用の前記テーブルにおいて、客毎に設置されることを特徴とする請求項９に記載の器搬送システム。」
第３　特許異議の申立ての理由の概要
　特許異議申立人が主張する特許異議の申立ての理由の概要は次のとおりである。
　本件特許発明１は、本件特許についての出願前に日本国内又は外国において、頒布された又は電気通信回線を通じて公衆に利用可能となった甲第１号証（以下、「甲１」という。甲第２号証〜甲第１０号証についても、同様に「甲２」〜「甲１０」という。）〜甲７に記載された発明に基いて、その出願前にその発明の属する技術の分野における通常の知識を有する者（以下、「当業者」という。）が容易に発明をすることができたものである。
　本件特許発明２〜本件特許発明５は、本件特許についての出願前に日本国内又は外国において、頒布された又は電気通信回線を通じて公衆に利用可能となった甲１〜甲１０に記載された発明に基いて、その出願前に当業者が容易に発明をすることができたものである。
　本件特許発明６は、本件特許についての出願前に日本国内又は外国において、頒布された又は電気通信回線を通じて公衆に利用可能となった甲１、甲６〜甲１０に記載された発明に基いて、その出願前に当業者が容易に発明をすることができたものである。
　本件特許発明７及び本件特許発明８は、本件特許についての出願前に日本国内又は外国において、頒布された又は電気通信回線を通じて公衆に利用可能となった甲１〜甲４、甲６〜甲１０に記載された発明に基いて、その出願前に当業者が容易に発明をすることができたものである。
　本件特許発明９及び本件特許発明１０は、本件特許についての出願前に日本国内又は外国において、頒布された又は電気通信回線を通じて公衆に利用可能となった甲１〜甲４、甲８〜甲１０に記載された発明に基いて、その出願前に当業者が容易に発明をすることができたものである。
　したがって、本件特許発明１〜本件特許発明１０に係る特許は特許法第２９条第２項の規定に違反してされたものであるから、特許法第１１３条第２号の規定により取り消されるべきものである。
甲１：特開平８−１３８１４５号公報
甲２：特開２００２−１０２０４４号公報
甲３：特開２０１２−１３０４９６号公報
甲４：特開２０１１−２８９号公報
甲５：特表２０１０−５２６３７５号公報
甲６：特開平１１−７６０３２号公報
甲７：特開平１１−１２３１３６号公報
甲８：特開２００７−１４８６０７号公報
甲９：特開２００７−１５９８０６号公報
甲１０：特開２００７−１６４３９５号公報
第４　文献の記載
１　甲１
（１）甲１の記載
　特許異議申立人が提出した甲１には以下の事項が記載されている（下線は当審で付与した。以下、同様である。）。
ア　「【０００２】
【従来の技術】
寿司（商品）を盛った皿５を
搬送させるベルトコンベア３が設けられている。
イ　「【００１３】
【実施例】以下、本発明の実施例を図面を参照して説明する。
（第１実施例）
総計料金算出手段（２１，２２）
【００１４】なお、
本自動料金表示発行装置１０は、従来例（図９）と同じ店舗１００内のカウンター１が形成する各テーブル（１Ｔｉ）ごとに設けられている。
ウ　「【００１７】ここに、商品提供場すなわちカウンター１の各
テーブル１Ｔｉに配設された共振タグ読取装置１１
商品の単価Ａを読取る
【００１８】すなわち、
各皿５（６）の外底面には、単価データを共振作用可能に記憶させたタグ５Ｔが貼付けられている。
顧客ＣＳＴが寿司盛皿５をベルトコンベア３上から自己のテーブル１Ｔｉに取込む
エ　「【００２１】制御部２０は、図２に示すように、ＣＰＵ２１，ＲＯＭ２２，ＲＡＭ２３，読取用インターフェイス（Ｉ／Ｆ）２４および入出力ポート（Ｉ／Ｏ）２６を含み、各機器１１，１５，１６を駆動制御する。なお、表示コントローラ２５およびプリンタコントローラ２７は、図示便宜上、この制御部２０に納められているものとする。
【００２２】また、ＲＡＭ２３内には、自機（１１，５，１６，２０）が配設されたテーブル１Ｔｉの当該テーブル番号Ｔｉを記憶する番号メモリ２３Ｎと、算出された総計料金Ａｔを記憶する総計料金記憶手段２３Ｍとが形成されている。この第１実施例における総計料金記憶手段２３Ｍには、総計料金Ａｔの他に各読取単価Ａｉも記憶可能とされている。
【００２３】ここに、
総計料金算出手段は、単価読出手段（１１）で読取られた単価Ａ（図３のＳＴ１０のＹＥＳ）を、次々に累計加算（Ａｔ＝Ａｔ＋Ａ）してそれまでの総計料金Ａｔを算出する手段で、算出制御プログラムを格納させたＲＯＭ２２とＣＰＵ２１とから形成され図３のＳＴ１１で実行される。
オ　「【００２７】次に、この第１実施例の作用を説明する。図１において、椅子２に腰掛けた顧客ＣＳＴが、
ベルトコンベア３上から２点鎖線で示す寿司盛皿５をＹ１方向に移動させてカウンター１（テーブル１Ｔｉ）上に置くと、商品提供場たるテーブル１Ｔｉに配設された共振タグ読取装置（単価読取手段）１１が、そのタグ５Ｔに記憶されていた単価Ａ（例えば、“２００円”）を共振作用によって読取る
カ　前記アによると、皿５に寿司を盛っていることが把握できる。この前記アは、【従来の技術】についての記載であるが、前記ウに「寿司盛皿５」と記載されていることを考慮すると、甲１の第１実施例においても、【従来の技術】と同様に、皿５に寿司が盛られているといえる。さらに、前記ウによると、皿５の外底面にタグ５Ｔが貼付けられているといえるから、皿５は、寿司が盛られ、外底面にタグ５Ｔが貼付けられているといえる。
キ　前記アによると、ベルトコンベア３が、皿５を搬送することが把握できる。この前記アは、【従来の技術】についての記載であるが、前記ウに「顧客ＣＳＴが寿司盛皿５をベルトコンベア３上から自己のテーブル１Ｔｉに取り込む」と記載されていることを考慮すると、甲１の第１実施例においても、【従来の技術】と同様に、ベルトコンベア３が、皿５を搬送しているといえる。
ク　前記ア及び図９によると、テーブル１Ｔｉはベルトコンベア３に沿って配置されていることが把握できる。この前記ア及び図９は、【従来の技術】についての記載であるが、前記イに「本自動料金表示発行装置１０は、従来例（図９）と同じ店舗１００内のカウンター１が形成する各テーブル（１Ｔｉ）ごとに設けられている。」と記載されていることを考慮すると、甲１の第１実施例においても、【従来の技術】と同様に、テーブル１Ｔｉはベルトコンベア３に沿って配置されているといえる。
　さらに、前記ウ及びオも考慮すると、共振タグ読取装置１１は、テーブル１Ｔｉに配設され、ベルトコンベア３上から移動されベルトコンベア３に沿うテーブル１Ｔｉ上に置かれる皿５のタグ５Ｔに記憶されていた単価Ａを共振作用によって読取るものといえる。
ケ　前記エ及びオによると、総計料金算出手段は、算出制御プログラムを格納させたＲＯＭ２２とＣＰＵ２１とから形成され、共振タグ読取装置１１で読取られた単価Ａを、次々に累計加算してそれまでの総計料金Ａｔを算出するものといえる。
コ　前記クの共振タグ読取装置１１は、ベルトコンベア３上から移動されテーブル１Ｔｉ上に置かれる皿５のタグ５Ｔに記憶されていた単価Ａを共振作用によって読取るものであり、前記ケの総計料金算出手段は、この共振タグ読取装置１１で読取られた単価Ａを、次々に累計加算してそれまでの総計料金Ａｔを算出するものであるから、前記キの皿５を搬送するベルトコンベア３、前記クの共振タグ読取装置１１及び前記ケの総計料金算出手段は、相互に関連して、皿５の搬送に関するシステムを構成しているといえ、当該皿５の搬送に関するシステムに備えられるものといえる。
（２）引用発明
　前記ア〜コによると、甲１には以下の発明（以下、「引用発明」という。）が記載されていると認められる。
「寿司が盛られ、外底面にタグ５Ｔが貼付けられている皿５を搬送するベルトコンベア３と、
　テーブル１Ｔｉに配設され、前記ベルトコンベア３上から移動され前記ベルトコンベア３に沿う前記テーブル１Ｔｉ上に置かれる前記皿５の前記タグ５Ｔに記憶されていた単価Ａを共振作用によって読取る共振タグ読取装置１１と、
　算出制御プログラムを格納させたＲＯＭ２２とＣＰＵ２１とから形成され、前記共振タグ読取装置１１で読取られた前記単価Ａを、次々に累計加算してそれまでの総計料金Ａｔを算出する総計料金算出手段と、
　を備える皿５の搬送に関するシステム。」
２　甲２
　特許異議申立人が提出した甲２には以下の事項が記載されている。
（１）「【０００２】
【従来の技術】通称、回転寿司と呼ばれている寿司店では、
クレセントチェーンコンベヤ式の循環型飲食物搬送装置
寿司等を盛り付けた皿等を載置して循環搬送させる
（２）「【０００８】上記方法において、搬送手段の移動速度を、搬送路の循環搬送速度よりも速くするか、又は
搬送手段の搬送面の高さを、搬送路の搬送面よりも若干高くする
（３）「【００１３】図１及び図２は、本発明の飲食物容器の供給装置１の第１の実施形態を備える循環型飲食物搬送装置（以下、搬送装置と略称する）２を示すもので、
搬送装置２は、
無端状の搬送路５に載置した寿司皿６を、循環搬送する
（４）「【００１７】上記
供給装置１は、搬送路５により囲まれた中央の空間部内、すなわち左右の直線搬送路５ａ、５ｂの間に、それと平行をなして直線状に設けられている
【００１８】
供給装置１は、
往復無端回走する搬送手段、すなわちベルトコンベヤ１２
、ベルトコンベヤ１２の上側のベルト搬送面１２ａが、前後方向に往復移動されるようになっている。
【００１９】
ベルト搬送面１２ａは、搬送装置の搬送路５よりも若干高くしてあり
【００２０】
ベルト搬送面１２ａにおける厨房７内の供給部に位置する後端部上面の定位置には、注文された寿司皿６を位置決めして載置するための凹状の保持板１８が固定されている
（５）「【００２１】搬送装置２における下流側の内方のガイドフレーム１９の上面には、各テーブル１０の中央部と対応する位置に、
ベルト搬送面１２ａ上を搬送されてくる寿司皿６の有無を検出する検知センサ２０が、ブラケット２１により支持されている
（６）「【００３１】
保持板１８上より寿司皿６がなくなると、これを検知センサ２０が検出することにより、モータ１４に逆回転信号が発せられ、ベルトコンベヤ１２のベルト搬送面１２ａは後方に移動する。保持板１８が厨房７内の定位置まで達したことを検知センサ２２が検出する
３　甲３
　特許異議申立人が提出した甲３には以下の事項が記載されている。　
（１）「【００１３】
　
飲食物搬送装置１には、
無端状の循環搬送路９が設けられ
【００１４】
　また、図１に示すように、店内Ｋと厨房Ｃとの間には、店内Ｋと厨房Ｃとを隔てる壁Ｗが設けられており、
循環搬送路９に載置された寿司皿３
（２）「【００１７】
　図１における各島部４ａ，４ｂ，４ｃの上方には、各島部４ａ，４ｂ，４ｃの前後に配備された飲食テーブル６と飲食シート７に着座している
飲食客に対して、飲食客が注文した飲食物としての寿司１０が載置された寿司皿３を厨房Ｃから搬送するための
走行レーンとしての注文搬送路１２が図２に示すように、配置されている。
（３）「【００１８】
　図２及び図６に示すように、
注文搬送路１２は、厨房Ｃから島部４ａ，４ｂ，４ｃの先端にかけて循環搬送路９の直上に配置されている。
注文搬送路１２上には、寿司１０を載置した寿司皿３を載置した状態でクレセントチェーンコンベア９ａの上方を走行する本発明における走行体としての搬送トレー２３
４　甲４
　特許異議申立人が提出した甲４には以下の事項が記載されている。　
（１）「【００１８】
　以下、実施例に基づいて本発明を詳細に説明する。図１は、実施例に係る食品循環搬送装置を設けた回転寿司店を例示した斜視図である。図示の通り、この食品循環搬送装置は、客席テーブルＴＢＬに近接して
クレセントチェーンを水平面で循環させるメイン循環装置とは別に、クレセントチェーンの循環路の上部位置において、ベルトＢＴを垂直面で循環させるサブ搬送装置ＭＡＴを有して構成されている
【００１９】
　なお、図示省略しているが、
クレセントチェーンには、寿司などを盛った食品皿が定常的に巡回しており
（２）「【００２０】
　一方、自分好みの食品が巡回していない場合には、来店客は、不図示のインターフォンなどを使用して、希望する食品を依頼する。すると、
依頼された注文品は、サブ搬送装置ＭＡＴのベルトＢＴに載置されて搬送され
（３）「【００３８】
　続いて、図２に示す
サブ搬送装置ＭＡＴの動作内容を説明する
【００３９】
　
来店客からの注文を受けた厨房側では、食品皿ＤＳに注文品を盛ると共に、客席セクションＳ１から客席セクションＳ６の順番に、ベルトＢＴに載置する
５　甲５
　特許異議申立人が提出した甲５には以下の事項が記載されている。　
（１）「【００１４】
　消費者は、食べたい食品を選択して、食品が消費される場所におけるある位置にその容器を持ってくる。消費者が食事を終えたとき、
センサーは、消費された全ての食品の費用を集計するために利用される
センサーは、消費者が食品を消費した容器のタグに蓄積されたデータをリードするように構成されている。
（２）「【００２３】
　図１はさらに、
近接にもたらされるプレート１６のタグ３０上に蓄積されたデータを電気的にリードするように構成されたセンサー３２、３４を示している
複数のセンサー３２、３４は、コンベヤベルトシステム１８に沿って間隔を一般的に開けて示されている。センサーは、プレート１６上に配置された寿司を消費するように消費者が座る場所に位置している。
（３）「【００２８】
　図３は、図１及び図２に示したような食品の識別及び追跡システムのブロック図であって、そこでは、そのシステムはセンサー３２、３４及びコンベヤ１８と共に配置されたディスプレイ３６、３８を含んでいる。
センサーは、コンベヤ１８上にある、例えばプレート１６のような容器に取り付けられた識別タグからデータをリードすることができる。
（４）「【００２９】
　食品在庫及び食品準備のそのような管理は改善され、そこではプレート１６上のタグ３０は、タグ３０に取り付けられたプレート１６をシステム内で独自に識別するデータをさらに含んでいる。
コンベヤベルト１８上にずっとあったと知られたプレート１６上のタグが、センサー３２、３４によってもはやリードされない場合、そのシステムは、消費又は処分のいずれかの理由で、その特別のプレートがコンベヤ１８から取り除かれたと仮定することができる。
６　甲６
　特許異議申立人が提出した甲６には以下の事項が記載されている。
（１）「【請求項１】　循環型の搬送路上を搬送され、
飲食客が取り出す飲食物または前記飲食物が載置された飲食物容器の種別を検出する検出手段
前記検出手段より検出された飲食物あるいは飲食物容器の種別と、前記注文パネルにより注文された飲食物あるいは飲食物容器の種別とを、前記客席番号に関連付けて記憶、更新する記憶更新手段と、前記客席番号に関連付けられて記憶されている飲食物または飲食物容器の種別を読み出してその合計数量または合計金額を算出する総計精算手段
（２）「【００１８】前記
クレセントチェーンコンベア２の周囲には、
寿司皿３に設けられているバ−コ−ド４を読み取る読み取り装置５が
飲食客が飲食する客席位置の両側部に設けられており
（３）「【００２５】次いでこれらの
寿司皿３は、クレセントチェ−ンコンベア２により搬送され
寿司皿３は、搬送されていく経過において、前記クレセントチェ−ンコンベア２の側部の客席両側部に設けられた各読み取り装置５により検出され、随時そのＩＤ番号が読み取られていき、飲食客が前記寿司皿３を取り出した場合には、取り出した飲食客の客席の上流部に設けられた読み取り装置５ではそのＩＤ番号が検出されるが、その客席下流部に設けられた読み取り装置５では検出されなくなることから、前記管理コンピュ−タ６は、所定時間を経過しても検出されないＩＤ番号を見いだし、そのＩＤ番号が最後に検出された読み取り装置５の番号から、どの客席番号の飲食客がその寿司皿３を取り出したのかを判断することができ
（４）「【００２７】また、
飲食客が所望の種類の寿司がクレセントチェ−ンコンベア２上に見当たらない場合には、飲食客は前記各客席毎に設けられている注文パネル１０を操作して注文を実施する
（５）「【００３２】前記表示パネル８には、図６に示されるように握るべき寿司の表示が白黒反転されて表示されており、この表示を確認して、職人は表示に基づく寿司を握り、その寿司を寿司皿３に載置して注文した客席の飲食客に提供する。
【００３３】この場合において、前記寿司皿３にはバ−コ−ド４が付与されているために、飲食客に提供する際に、前記クレセントチェ−ンコンベア２の近傍に設けられた読み取り装置５によって誤って読み取りがなされてしまうと、未登録の寿司皿３が検出されてしまうことになり、システムが誤動作する可能性があることから、これら注文された寿司は、前記のバ−コ−ド４が付与されていない寿司皿に載置して飲食客に提供することが好ましい。
【００３４】このようにして前記
職人は、表示パネルに表示された寿司の提供が終了した段階にて前記フットスイッチ９を踏んで完了の入力を実施する
【００３５】この入力を受けて前記管理コンピュ−タ６は、その
注文デ−タに基づく寿司の種別を、前記クレセントチェ−ンコンベア２上の寿司同様に、その注文した客席番号に関連付けて記憶、更新する。
（６）「【００３６】次いで、飲食客が飲食を終了して精算を実施する場合には、前記注文パネルに設けられた精算ボタン３０を入力する。
【００３７】この入力に基づき、前記ＭＰＵ２１は、管理コンピュ−タ６に自己の
客席番号に関連付けられて記憶されている寿司の種別デ−タの出力を要求し、この種別デ−タに基づいて、図５に示されるように各単価別の寿司の種別、数量と、飲食した寿司の合計金額を算出して前記ＬＣＤパネル２６に表示する
（７）「【００４２】また本実施例においては、
寿司皿３に識別符号としてバ−コ−ド４を付与しているが、本発明はこれに限定されるものではなく、その他の識別符号、例えば電磁波等によりＩＤデ−タを送出、受信するようなものなどを用いて検出手段を構成しても良い。
７　甲７
　特許異議申立人が提出した甲７には以下の事項が記載されている。
（１）「【請求項１】　飲食台に沿って設けられた循環型搬送路を有する飲食カウンタにおいて、前記循環搬送路上を搬送され、
各客席の飲食客により取り出された飲食物の種別または前記飲食物が載置された飲食物容器の種別を検出する検出手段
（２）「【００１８】前記
クレセントチェーンコンベア２の周囲には、
寿司皿３に設けられているバ−コ−ド４を読み取る読み取り装置５が
飲食客が飲食する各客席８の両側部に設けられており
（３）「【００２５】次いでこれらの
寿司皿３は、クレセントチェ−ンコンベア２により搬送され
寿司皿３は、搬送されていく経過において、前記クレセントチェ−ンコンベア２側部の客席両側部に設けられた各読み取り装置５により検出され、随時そのＩＤ番号が読み取られていき、飲食客が前記寿司皿３を取り出した場合には、取り出した飲食客の客席の上流部に設けられた読み取り装置５ではそのＩＤ番号が検出されるが、その客席下流部に設けられた読み取り装置５では検出されなくなることから、前記管理コンピュ−タ６は、所定時間を経過しても検出されないＩＤ番号を見いだし、そのＩＤ番号が最後に検出された読み取り装置５の個別の番号から、どの客席番号の飲食客がその寿司皿３を取り出したのかを判断、検出することができ
（４）「【００２９】次いで、飲食客が飲食を終了する場合には、前記表示パネル１０に設けられた精算ボタン１８を入力する。
【００３０】この入力に基づき、前記ＭＰＵ１７は、前記管理コンピュ−タ６に対して精算がなされたことを通知し、この通知に基づいて、前記管理コンピュ−タ６は新たに取りだしが検出された寿司の種別を新たな飲食客が飲食したものとして個別に記憶装置１４に記憶するようにし、前記ＭＰＵ１７は、前記メモリ１９に記憶されている
飲食された寿司の種別および単価デ−タに基づき算出された合計金額と、客席番号、日付等の精算デ−タおよびこの精算デ−タに基づくバ−コ−ド２４をプリンタ２０に印字させ
（５）「【００４１】飲食時において、
飲食客が注文を実施したい場合には、前記注文パネル１０’に設けられた切り替えボタン３３を飲食客が入力することにより、図８に示される注文画面が前記ＬＣＤパネル２３に表示される
（６）「【００４６】前記注文内容表示パネル２８には、図９に示されるように握るべき寿司の表示が白黒反転されて表示されており、この表示を確認して、職人は表示に基づく寿司を握り、その寿司を寿司皿に載置して注文した客席の飲食客に提供する。
【００４７】この場合において、前記寿司皿３にはバ−コ−ド４が付与されているために、飲食客に提供する際に、前記クレセントチェ−ンコンベア２の近傍に設けられた読み取り装置５によって誤って読み取りがなされてしまうと、未登録の寿司皿３が検出されてしまうことになり、システムが誤動作する可能性があることから、これら注文された寿司は、前記のバ−コ−ド４が付与されていない寿司皿に載置して飲食客に提供することが好ましい。
【００４８】このようにして前記
職人は、注文内容表示パネル２８に表示された寿司の提供が終了した段階にて前記フットスイッチ３５を踏んで完了の入力を実施する
【００４９】この入力を受けて前記管理コンピュ−タ６’は、その
注文デ−タに基づく寿司の種別を、前記クレセントチェ−ンコンベア２上の寿司同様に、その注文した客席番号に関連付けて記憶、更新し、これら注文された寿司の種別データも、前記クレセントチェ−ンコンベア２上の寿司と同様に、注文パネル１０’に出力し、表示されるようになっており、本実施例２においては、これら注文による寿司の表示は、クレセントチェ−ンコンベア２上の寿司と異なり、赤色にて表示されるようになっており、飲食客が区別できるようにされている。
（７）「【００５９】また前記各実施例においては、前記したように各寿司皿３に識別符号としてバ−コ−ド４を付与し、その寿司皿３に載置される寿司の種別とを関連付けて管理コンピュ−タ６または６’に登録しておき、これら寿司皿３に設けられたバ−コ−ド４を各客席の両側部に設けられた読み取り装置５により検出することにより、各客席において取り出された寿司の種別を検出する検出手段を構成しているが、本発明はこれに限定されるものではなく、その他の検出手段、例えば
前記バ−コ−ド４に代えて電磁波等によりＩＤデ−タを送出、受信するようなものなどを用いても良い
８　甲８
　特許異議申立人が提出した甲８には以下の事項が記載されている。　
（１）「【００６２】
　
第２リーダ部２０６は、テーブル５の上面側内部に設置されている
利用客が、所望の飲食物の載る容器６００を選んでテーブル５の上に置いた場合に、その容器６００に収容されるＩＣタグ６１０の第２メモリＩＣ６１１に書込まれた第２飲食情報を読取る。
（２）「【００７３】
　管理装置４００は、利用客の飲食した飲食物の情報を管理する装置である。また、
管理装置４００は、利用客の飲食した飲食物に対する会計処理を含め店舗の売上などの管理を行う装置でもある
（３）「【００８０】
　ここで、上述した飲食物提供システム１に対して、利用客の基本的な動作を説明する。
　利用客は、来店した場合、店員に所持するサービスカード５００を渡し、第１飲食情報を読み取ってもらうか、客席に着き、テーブル５の上面付近にサービスカード５００をかざして第１飲食情報を読取ってもらう。そして、
利用客は、第１ベルトコンベア１０６ａに載置されて周回する容器６００に載せられた飲食物に対して、所望の飲食物を選び、その飲食物の載った容器６００を取り、テーブル５に置くと、液晶モニタ２０３ａには取った飲食物の飲食情報が表示される。
利用客は、飲食物を食した後、容器６００を返却口３１を介して返却する。その時、液晶モニタ２０３ａには今まで食した累計金額などが表示される。
【００８１】
　図６は、
客席端末装置の有する第２リーダ部が、テーブルに置かれた容器の第２飲食情報を読取る場合のフローチャート
【００８２】
　ステップＳ７００では、第２リーダ部２０６は、制御部２０１により、電磁波を常に出しており、
テーブル５に利用客が容器６００を置くと、ＩＣタグ６１０は第２リーダ部２０６の出す電磁波を受信する。
第２リーダ部２０６に、ＩＣタグ６１０に書込まれた第２飲食情報を読取らせる。
その情報を処理して、処理した情報の内容を表示用のフォーマットに従い第２表示部２０３としの液晶モニタ２０３ａに表示する
９　甲９
　特許異議申立人が提出した甲９には以下の事項が記載されている。　
（１）「【００１７】
　図１に示すように、本飲食物提供システム１は、容器としての食器１０と、食器搬送用の搬送部２０と、利用客が選択した食器１０を置くためのテーブル３０と、利用客に情報を提示する表示部１０３と、利用客が操作する操作部１０４とを備える。
【００１８】
　食器１０としては、皿に限らずカップやお椀などが用いられる。各食器１０上には、寿司やデザート等を含む対象物品としての飲食物ＦＤが乗せられている。そして、それぞれの
食器１０の底面内部には、メモリＩＣとして、電磁波を用いて内蔵する記憶部の情報を非接触で読み書きするＩＣタグ８０が取り付けられている。
（２）「【００２２】
　図１に戻って、テーブル３０は、搬送部２０に隣接して設けられており、利用客が着席する４つの座席を有している。
テーブル３０には、アンテナ５２が埋め込まれており、このアンテナ５２は
各ＩＣタグ８０から信号を取り出すことができるようになっている。
（３）「【００２８】
　制御部１０１は、マイコンチップ等からなる情報処理手段である。この
制御部１０１は、リーダ／ライタ本体５１との間で通信を行って、アンテナ５２を介して、食器１０に設けたＩＣタグ８０に対して記録情報の読み取りを行わせる
リーダ／ライタ本体５１を介して得た記録情報やこれを加工した処理結果を記憶部１０２に保管させる。この処理結果には、飲食物の消費状況情報として、テーブル３０で飲食した合計金額、栄養摂取量、購入リスト等の情報が含まれている。
（４）「【００４８】
　店員は、
管理装置３００を使用して、客席端末装置１００から送信された利用客の飲食した飲食物に対する累計金額の情報（データ）に基づき会計処理を行うことができる
１０　甲１０
　特許異議申立人が提出した甲１０には以下の事項が記載されている。　
（１）「【００１７】
　
テーブル３０は、４つの座席に対応するものとなっており、上面が各座席に対応して４つの座席領域３０ａ〜３０ｄに分かれている。各座席領域３０ａ〜３０ｄは仮想的なものであるが、それぞれにアンテナ５２Ａ〜５２Ｄが埋め込まれており、各アンテナ５２Ａ〜５２Ｄは
各ＩＣタグ８０から信号を取り出すことができるようになっている
【００１８】
　表示部１０３は、例えば液晶モニタからなる表示装置であり、不図示の制御装置に駆動されて動作する。
表示部１０３は、アンテナ５２Ａ〜５２Ｄを介して読み取られたＩＣタグ８０すなわち食器１０の情報が後述する客席端末装置によって適宜処理された結果として、飲食物の利用状況情報を表示する。この利用状況情報には、後に詳述するが、料金、栄養、名称等の各種情報が含まれ、座席やテーブル単位で集計した合計金額、栄養摂取量、購入リスト等が、利用客に見易い状態で表示部１０３にリアルタイムで表示される。
（２）「【００２２】
　制御部１０１は、マイコンチップ等からなる情報処理手段である。この
制御部１０１は、リーダ／ライタ本体５１との間で通信を行って、各アンテナ５２Ａ〜５２Ｄを介して、食器１０に設けたＩＣタグ８０に対して記録情報の読み取りを行わせる。
リーダ／ライタ本体５１を介して得た記録情報やこれを加工した処理結果を記憶部１０２に保管させる。この処理結果には、飲食物の利用状況情報として、テーブル３０で飲食した合計金額や、各座席ごとの合計金額、栄養摂取量、購入リスト等の情報が含まれている。
第５　当審の判断
１　本件特許発明１について
（１）本件特許発明１と引用発明の対比
　引用発明の「寿司」、「タグ５Ｔ」、「貼付けられている」及び「皿５」は、それぞれ本件特許発明１の「飲食物」、「ＩＣタグ」、「取り付けられる」及び「器」に相当し、引用発明の「ベルトコンベア３」は、皿５が搬送されるレーンを形成するものであるから、本件特許発明１の「搬送レーン」に相当する。すると、引用発明の「寿司が盛られ、外底面にタグ５Ｔが貼付けられている皿５を搬送するベルトコンベア３」は、本件特許発明１の「飲食物を載せＩＣタグが取り付けられる器を搬送する搬送レーン」に相当する。
　引用発明の「共振タグ読取装置１１」は、本件特許発明１の「第１アンテナ」に相当する。そして、引用発明の「前記ベルトコンベア３上から移動され前記ベルトコンベア３に沿う前記テーブル１Ｔｉ上に置かれる前記皿５の前記タグ５Ｔに記憶されていた単価Ａを共振作用によって読取る共振タグ読取装置１１」は、甲１の図１の図示内容を考慮すると、皿５がベルトコンベア３から取り出されて、テーブル１Ｔｉ上に置かれる前の移動中に、皿５のタグ５Ｔを読み取るものと解されるから、本件特許発明１の「前記搬送レーンから取り出されて前記搬送レーンに沿うテーブル側に移動中の器のＩＣタグを読み取る第１アンテナ」に相当する。また、引用発明の「共振タグ読取装置１１」が「前記ベルトコンベア３上から移動され前記ベルトコンベア３に沿う前記テーブル１Ｔｉ上に置かれる前記皿５の前記タグ５Ｔに記憶されていた単価Ａを共振作用によって読取る」という事項と、本件特許発明１の「前記第１アンテナは、前記搬送レーン毎にあり、対応する搬送レーンから取り出されて前記テーブル側に移動中の器のＩＣタグを読み取る」という事項とは、「前記第１アンテナは、搬送レーンから取り出されて前記テーブル側に移動中の器のＩＣタグを読み取る」点において共通する。
　引用発明の「皿５の搬送に関するシステム」は、本件特許発明１の「器搬送システム」に相当する。
　したがって、本件特許発明１と引用発明とは、以下の点で一致し、
［一致点１］
　飲食物を載せＩＣタグが取り付けられる器を搬送する搬送レーンと、
　前記搬送レーンから取り出されて前記搬送レーンに沿うテーブル側に移動中の器のＩＣタグを読み取る第１アンテナと、を備え、
　前記第１アンテナは、搬送レーンから取り出されて前記テーブル側に移動中の器のＩＣタグを読み取る器搬送システム。
　以下の点で相違する。
［相違点１−１］
　第１アンテナの配置について、本件特許発明１は、「前記搬送レーンにおいて搬送方向と直交する幅方向の端側にあ」るのに対し、引用発明は、「テーブル１Ｔｉに配設され」ている点。
［相違点１−２］
　搬送レーンの数及び第１アンテナとの対応関係について、本件特許発明１は、「前記搬送レーンは、高さ位置の異なる複数の搬送レーンを備え」、前記第１アンテナは、「前記搬送レーン毎にあり、対応する」搬送レーンから取り出されてテーブル側に移動中の器のＩＣタグを読み取るのに対し、引用発明は、共振タグ読取装置１１がベルトコンベア３上から移動される皿５のタグ５Ｔを読取るものの、ベルトコンベア３等の搬送レーンの数が明確でなく、共振タグ読取装置１１が複数の搬送レーン毎に対応して設けられているとはいえない点。
（２）判断
ア　相違点について
　事案に鑑みて、相違点１−２から検討する。
　甲２には、前記第４　２（１）〜（４）の記載によると、寿司皿６を循環搬送する無端状の搬送路５と、搬送路５よりも若干高いベルト搬送面１２ａを有し注文された寿司皿６を搬送するベルトコンベヤ１２とを備える点が記載され、甲３には、前記第４　３（１）〜（３）によると、寿司皿３が載置された循環搬送路９と、循環搬送路９の真上に配置され注文した寿司１０が載置された寿司皿３を搬送する注文搬送路１２とを備える点が記載され、甲４には、前記第４　４（１）〜（３）によると、寿司などを盛った食品皿が巡回するメイン循環装置と、メイン循環装置の循環路の上部位置において注文品を搬送するサブ搬送装置ＭＡＴとを備える点が記載されている。
　これらの甲２〜甲４に記載された事項を考慮すると、寿司などの飲食物を載せた皿を搬送するシステムの技術分野において、高さの異なる複数の搬送レーンを設けることは、本件特許についての出願前から広く知られていたといえる。
　しかしながら、引用発明は、共振タグ読取装置１１により、ベルトコンベア３上から移動しテーブル１Ｔｉ上に置かれる皿５のタグ５Ｔを読取るものにすぎず、甲１の記載を考慮しても、ベルトコンベア３に加えて、他の搬送レーンを設けた場合に、共振タグ読取装置１１も対応するように追加して、搬送レーン毎に、各搬送レーンから取り出されてテーブル１Ｔｉ側に移動中の皿５のタグ５Ｔをそれぞれ読取ることは、何ら記載も示唆もされていない。甲２〜甲４についても、高さの異なる複数の搬送レーンを設けることは記載されているものの、複数の搬送レーンに対応するタグ読取装置をそれぞれ設け、各搬送レーンから取り出されてテーブル側に移動中の皿の識別タグをそれぞれ読み取ることについては、何ら記載も示唆もされていない。すると、仮に、引用発明の寿司が盛られた皿５を搬送するベルトコンベア３に加えて、高さの異なる搬送レーンを設けることが、当業者が容易に想到し得たものだとしても、共振タグ読取装置１１を、複数の搬送レーン毎に設け、対応する搬送レーンから取り出されてテーブル１Ｔｉ側に移動中の皿５のタグ５Ｔを読取ることまでは、当業者といえども容易に想到し得たものとはいえない。
　この点に関連し、甲５には、前記第４　５（１）〜（３）の記載によると、複数のセンサー３２、３４をコンベヤベルトシステム１８に沿って設け、センサー３２、３４によりコンベヤ１８上にある容器に取り付けられた識別タグからデータをリードする点が記載され、甲６には、前記第４　６（１）〜（３）及び（７）によると、読み取り装置５をクレセントチェーンコンベア２の周囲に設け、読み取り装置５により、クレセントチェーンコンベア２により搬送される寿司皿３が検出され電磁波等によりＩＤデータを受信する点が記載され、甲７には、前記第４　７（１）〜（３）及び（７）によると、読み取り装置５をクレセントチェーンコンベア２の周囲に設け、読み取り装置５により、クレセントチェーンコンベア２により搬送される寿司皿３が検出され電磁波等によりＩＤデータを受信する点が記載されている。
　これらの甲５〜甲７に記載された事項を考慮すると、寿司などの飲食物を載せた皿を搬送するシステムの技術分野において、搬送レーンの周囲に皿に取り付けられた識別タグを読み取るタグ読取装置を設けることは、本件特許についての出願前から広く知られていたといえるものの、甲５の前記第４　５（４）の記載、甲６の前記第４　６（３）の記載及び甲７の前記第４　７（３）の記載によると、甲５〜甲７に記載された読み取り装置（甲５のセンサー３２、３４、甲６及び甲７の読み取り装置５）は、搬送レーンを流れている皿に取り付けられた識別タグを読み取るものであって、搬送レーンから取り出されてテーブル側に移動中の皿に取り付けられた識別タグを読み取るものではない。さらに、甲５〜甲７には、複数の搬送レーンを設けることについて、何ら記載も示唆もされていないから、複数の搬送レーンに対応するタグ読取装置をそれぞれ設け、各搬送レーンから取り出されてテーブル側に移動中の皿の識別タグをそれぞれ読み取ることを、何ら示唆するものではない。すると、仮に、引用発明の寿司が盛られた皿５を搬送するベルトコンベア３に加えて、高さの異なる搬送レーンを設けることが、当業者が容易に想到し得たものであり、さらに甲５〜甲７に記載された事項を考慮したとしても、引用発明のベルトコンベア３上から移動しテーブル１Ｔｉ上に置かれる皿５のタグ５Ｔを読取る共振タグ読取装置１１を、複数の搬送レーン毎に設け、対応する搬送レーンから取り出されてテーブル１Ｔｉ側に移動中の皿５のタグ５Ｔを読取ることまでは、当業者といえども容易に想到し得たものとはいえない。
　そうすると、当業者といえども、引用発明、甲２〜甲４に記載された事項及び甲５〜甲７に記載された事項に基いて、本件特許発明１の相違点１−２に係る発明特定事項を容易に想到できるものではない。
イ　特許異議申立人の主張について
　特許異議申立人は、特許異議申立書において、「前述した通り、飲食店の飲食物搬送装置に高さ位置の異なる複数の搬送レーンを設けることは甲第２〜４号証に開示されているから、甲５発明におけるコンベヤ１８や、甲６，７発明における搬送路２を、高さ位置が異なるように複数設けることも容易である。そうすると、甲２〜４発明のように高さ位置の異なる複数の搬送レーンのそれぞれに対し、甲５〜７発明のように飲食物を検出する検出手段を搬送路沿いに設けることは容易である。」（特許異議申立書第２７ページ第３行〜第９行）と主張している。
　しかしながら、前記したように、甲５〜甲７に記載された読み取り装置（甲５のセンサー３２、３４、甲６及び甲７の読み取り装置５）は、搬送レーンを流れている皿に取り付けられた識別タグを読み取るものであって、搬送レーンから取り出されてテーブル側に移動中の皿に取り付けられた識別タグを読み取るものではない。すると、引用発明、甲２〜甲４に記載された事項及び甲５〜７に記載された事項を考慮しても、本件特許発明１の相違点１−２に係る発明特定事項である、第１アンテナを搬送レーン毎に設け、対応する搬送レーンから取り出されてテーブル側に移動中の器のＩＣタグを読み取ることは、当業者といえども容易に想到できるものではない。
　したがって、特許異議申立人の前記主張は採用できない。
（３）まとめ
　前記（２）に示したように、本件特許発明１の相違点１−２に係る発明特定事項は、当業者といえども、引用発明、甲２〜甲４に記載された事項及び甲５〜甲７に記載された事項に基いて、容易に想到できるものではないから、他の相違点について検討するまでもなく、本件特許発明１は、当業者が、引用発明、甲２〜甲４に記載された事項及び甲５〜甲７に記載された事項に基いて、容易に発明をすることができたものではない。
２　本件特許発明２〜５について
　請求項２〜５は、直接的に又は間接的に請求項１を引用するものであり、本件特許発明２〜５も、搬送レーンの数及び第１アンテナとの対応関係について、「前記搬送レーンは、高さ位置の異なる複数の搬送レーンを備え」、前記第１アンテナは、「前記搬送レーン毎にあり、対応する」搬送レーンから取り出されてテーブル側に移動中の器のＩＣタグを読み取るという発明特定事項を備えるものであるから、引用発明、甲２〜甲４に記載された事項及び甲５〜甲７に記載された事項に加え、甲８〜甲１０に記載された事項を考慮したとしても、本件特許発明２〜５は、前記１で検討した本件特許発明１と同じ理由により、当業者が、引用発明、甲２〜甲４に記載された事項、甲５〜甲７に記載された事項及び甲８〜甲１０に記載された事項に基いて、容易に発明をすることができたものではない。
３　本件特許発明６について
（１）本件特許発明６と引用発明の対比
　前記１（１）に示した本件特許発明１と引用発明の対比と同様に、引用発明の「寿司」、「タグ５Ｔ」、「貼付けられている」、「皿５」及び「ベルトコンベア３」は、それぞれ本件特許発明６の「飲食物」、「ＩＣタグ」、「取り付けられる」、「器」及び「搬送レーン」に相当し、引用発明の「寿司が盛られ、外底面にタグ５Ｔが貼付けられている皿５を搬送するベルトコンベア３」は、本件特許発明６の「飲食物を載せＩＣタグが取り付けられる器を搬送する搬送レーン」に相当する。
　同様に、引用発明の「共振タグ読取装置１１」は、本件特許発明６の「第１アンテナ」に相当し、引用発明の「前記ベルトコンベア３上から移動され前記ベルトコンベア３に沿う前記テーブル１Ｔｉ上に置かれる前記皿５の前記タグ５Ｔに記憶されていた単価Ａを共振作用によって読取る共振タグ読取装置１１」は、本件特許発明６の「前記搬送レーンから取り出されて前記搬送レーンに沿うテーブル側に移動中の器のＩＣタグを読み取る第１アンテナ」に相当する。
　同様に、引用発明の「皿５の搬送に関するシステム」は、本件特許発明６の「器搬送システム」に相当する。
　また、引用発明の「算出制御プログラムを格納させたＲＯＭ２２とＣＰＵ２１とから形成され、前記共振タグ読取装置１１で読取られた前記単価Ａを、次々に累計加算してそれまでの総計料金Ａｔを算出する総計料金算出手段」は、総計料金Ａｔを算出するために、共振タグ読取装置１１が、ベルトコンベア３上から移動されテーブル１Ｔｉ上に置かれる皿５のタグ５Ｔに記憶されていた単価Ａを読取っており、これにより、ベルトコンベア３から取り出された皿５を特定しているといえるから、本件特許発明６の「前記第１アンテナおよび前記第２アンテナが取得するＩＣタグの読取情報に基づき、前記テーブル上の器のうち、前記搬送レーンから取り出された器と、前記搬送レーンを経ずに前記テーブルに運ばれた器と、を特定する計算手段」とは、「前記第１アンテナが取得するＩＣタグの読取情報に基づき、前記搬送レーンから取り出された器を特定する計算手段」である点において共通する。
　したがって、本件特許発明６と引用発明とは、以下の点で一致し、
［一致点２］
　飲食物を載せＩＣタグが取り付けられる器を搬送する搬送レーンと、
　前記搬送レーンから取り出されて前記搬送レーンに沿うテーブル側に移動中の器のＩＣタグを読み取る第１アンテナと、
　前記第１アンテナが取得するＩＣタグの読取情報に基づき、前記搬送レーンから取り出された器を特定する計算手段と、
　を備える器搬送システム。
　以下の点で相違する。
［相違点２−１］
　第１アンテナの配置について、本件特許発明６は、「前記搬送レーンにおいて搬送方向と直交する幅方向の端側にあ」るのに対し、引用発明は、「テーブル１Ｔｉに配設され」ている点。
［相違点２−２］
　アンテナ及び計算手段について、本件特許発明６は、「前記テーブルに設置され、前記テーブル上の器のＩＣタグを読み取る第２アンテナ」を備え、計算手段が「前記第１アンテナおよび前記第２アンテナが取得するＩＣタグの読取情報に基づき、前記テーブル上の器のうち、前記搬送レーンから取り出された器と、前記搬送レーンを経ずに前記テーブルに運ばれた器と、を特定する」のに対し、引用発明は、共振タグ読取装置１１及び総計料金算出手段を備えるものの、共振タグ読取装置１１とは別のテーブルに設置される第２アンテナを備えず、また、総計料金算出手段が前記のような特定を行うものではない点。
（２）判断
ア　相違点について
　事案に鑑みて、相違点２−２から検討する。
　甲８には、前記第４　８（１）の記載によると、テーブル５の上面側内部に設置され、飲食物の載る容器６００に収容されるＩＣタグ６１０を読取る第２リーダ部２０６を備える点が記載され、甲９には、前記第４　９（１）〜（３）によると、テーブル３０に埋め込まれ、食器１０の底面内部に取り付けられるＩＣタグ８０から信号を取り出すアンテナ５２を備える点が記載され、甲１０には、前記第４　１０（１）及び（２）によると、４つの座席領域３０ａ〜３０ｄに分かれたテーブル３０の各座席領域３０ａ〜３０ｄにそれぞれ埋め込まれ、食器１０に設けたＩＣタグ８０から信号を取り出すアンテナ５２Ａ〜５２Ｄを備える点が記載されている。
　これらの甲８〜甲１０に記載された事項を考慮すると、寿司などの飲食物を載せた皿を搬送するシステムの技術分野において、テーブルに設置され、テーブル上の皿の識別タグを読み取るタグ読取装置を設けることは、本件特許についての出願前から広く知られていたといえる。しかしながら、甲８の前記第４　８（１）〜（３）の記載、甲９の前記第４　９（１）〜（４）の記載並びに甲１０の前記第４　１０（１）及び（２）の記載をみても、甲８〜甲１０には、テーブルに設置されたタグ読取装置（甲８の第２リーダ部２０６、甲９のアンテナ５２、甲１０のアンテナ５２Ａ〜５２Ｄ）が取得した読取情報を処理し、テーブルに置いた飲食物の飲食情報を表示することや、テーブルで飲食した合計金額を算出することなどが示唆されているのみであって、搬送レーンを経ずにテーブルに運ばれてくる皿があることすら、何ら記載も示唆もされていないから、甲８〜甲１０に記載された事項は、テーブルに設置され、テーブル上の皿の識別タグを読み取るタグ読取装置が取得した読取情報を利用して、テーブル上の皿のうち、搬送レーンから取り出された皿と、搬送レーンを経ずにテーブルに運ばれた皿とを特定することを何ら示唆するものではない。
　また、甲６（前記第４　６（１）〜（７）参照）及び甲７（前記第４　７（１）〜（７）参照）には、注文データに基づく寿司の種別と、クレセントチェーンコンベア２上から取り出した寿司の種別とを記憶することが示唆されているが、テーブルに設置され、テーブル上の寿司皿３のＩＤデータを受信するタグ読取装置について、何ら記載も示唆もされていないから、甲６、甲７に記載された事項は、テーブルに設置され、テーブル上の皿の識別タグを読み取るタグ読取装置が取得した読取情報を利用して、テーブル上の皿のうち、搬送レーンから取り出された皿と、搬送レーンを経ずにテーブルに運ばれた皿とを特定することを何ら示唆するものではない。
　すると、甲８〜甲１０に記載された事項と、甲６及び甲７に記載された事項を考慮しても、引用発明のテーブル１Ｔｉに配設され、ベルトコンベア３上から移動される皿５のタグ５Ｔを読取る共振タグ読取装置１１に加えて、テーブル１Ｔｉに設置され、テーブル１Ｔｉ上の皿５のタグ５Ｔを読み取るタグ読取装置を設けた上で、さらにこれらのタグ読取装置が取得する読取情報を利用して、テーブル１Ｔｉ上の皿５のうち、ベルトコンベア３から取り出された皿５と、ベルトコンベア３を経ずにテーブル１Ｔｉに運ばれた皿５とを特定することまで、当業者といえども容易に想到し得たとはいえない。
　そうすると、当業者といえども、引用発明、甲６及び甲７に記載された事項及び甲８〜甲１０に記載された事項に基いて、本件特許発明６の相違点２−２に係る発明特定事項を容易に想到できるものではない。
イ　特許異議申立人の主張について
　特許異議申立人は、特許異議申立書において、「一方、構成要件２Ｂに関して既述したように、甲６，７発明に甲８〜１０発明を組み合わせて、テーブル上の器のうち、搬送レーンから取り出された器と、搬送レーンを経ずにテーブルに運ばれた器と、を特定することは容易である。」（特許異議申立書第３４ページ第１２行〜第１５行）と主張し、構成要件２Ｂに関して、「よって、甲６，７発明のように搬送レーンから取り出された器を特定する装置に、甲８〜１０発明のようにテーブルの器を特定する装置を組み合わせれば、搬送レーンから取り出された器と、搬送レーンを経ずにテーブルに運ばれた器と、を特定することは自ずと可能である。」（特許異議申立書第２８ページ第２８行〜第２９ページ第３行）と主張している。
　しかしながら、前記したように、甲６、甲７及び甲８〜１０のいずれにも、テーブルに設置されテーブル上の皿の識別タグを読み取るタグ読取装置が取得した読取情報を利用して、テーブル上の皿のうち、搬送レーンから取り出された皿と、搬送レーンを経ずにテーブルに運ばれた皿とを特定することについて、何ら記載も示唆もされていないから、甲６、甲７に記載された事項と、甲８〜１０に記載された事項とを合わせて考慮しても、引用発明において、本件特許発明６の相違点２−２に係る発明特定事項を、当業者といえども容易に想到できるものではない。
　したがって、特許異議申立人の前記主張は採用できない。
（３）まとめ
　前記（２）に示したように、本件特許発明６の相違点２−２に係る発明特定事項は、当業者といえども、引用発明、甲６、甲７に記載された事項及び甲８〜甲１０に記載された事項に基いて、容易に想到できるものではないから、他の相違点について検討するまでもなく、本件特許発明６は、当業者が、引用発明、甲６、甲７に記載された事項及び甲８〜甲１０に記載された事項に基いて、容易に発明をすることができたものではない。
４　本件特許発明７、８について
　請求項７、８は、直接的に又は間接的に請求項６を引用するものであり、本件特許発明７、８も、アンテナ及び計算手段について、「前記テーブルに設置され、前記テーブル上の器のＩＣタグを読み取る第２アンテナ」を備え、計算手段が「前記第１アンテナおよび前記第２アンテナが取得するＩＣタグの読取情報に基づき、前記テーブル上の器のうち、前記搬送レーンから取り出された器と、前記搬送レーンを経ずに前記テーブルに運ばれた器と、を特定する」という発明特定事項を備えるものであるから、引用発明、甲６、甲７に記載された事項及び甲８〜甲１０に記載された事項に加え、甲２〜甲４に記載された事項を考慮したとしても、本件特許発明７、８は、前記３で検討した本件特許発明６と同じ理由により、当業者が、引用発明、甲２〜甲４に記載された事項、甲６、甲７に記載された事項及び甲８〜甲１０に記載された事項に基いて、容易に発明をすることができたものではない。
５　本件特許発明９について
（１）本件特許発明９と引用発明の対比
　前記１（１）に示した本件特許発明１と引用発明の対比と同様に、引用発明の「寿司」、「タグ５Ｔ」、「貼付けられている」、「皿５」及び「皿５の搬送に関するシステム」は、それぞれ本件特許発明９の「飲食物」、「ＩＣタグ」、「取り付けられる」、「器」及び「器搬送システム」に相当する。
　そして、引用発明の「皿５を搬送するベルトコンベア３」は、寿司が盛られた皿５を搬送するものであって、寿司を調理する調理場から皿５を搬送するレーンを形成するものであるといえるから、本件特許発明９の「器を、搬送台によって調理場から搬送する注文用搬送レーン」とは、「器を、調理場から搬送する搬送レーン」である点において共通する。すると、引用発明の「寿司が盛られ、外底面にタグ５Ｔが貼付けられている皿５を搬送するベルトコンベア３」と、本件特許発明９の「注文品である飲食物を載せＩＣタグが取り付けられる器を、搬送台によって調理場から搬送する注文用搬送レーン」とは、「飲食物を載せＩＣタグが取り付けられる器を、調理場から搬送する搬送レーン」である点において共通する。
　引用発明の「共振タグ読取装置１１」は、本件特許発明９の「第１アンテナ」に相当する。そして、引用発明の「前記ベルトコンベア３上から移動され前記ベルトコンベア３に沿う前記テーブル１Ｔｉ上に置かれる前記皿５の前記タグ５Ｔに記憶されていた単価Ａを共振作用によって読取る共振タグ読取装置１１」は、甲１の図１の図示内容を考慮すると、皿５がベルトコンベア３から取り出されて、テーブル１Ｔｉ上に置かれる前の移動中に、皿５のタグ５Ｔを読み取るものと解されるから、本件特許発明９の「前記注文用搬送レーンから取り出されて前記注文用搬送レーンに沿うテーブル側に移動中の器のＩＣタグを読み取る第１アンテナ」とは、「前記搬送レーンから取り出されて前記搬送レーンに沿うテーブル側に移動中の器のＩＣタグを読み取る第１アンテナ」である点において共通する。
　引用発明の「算出制御プログラムを格納させたＲＯＭ２２とＣＰＵ２１とから形成され、前記共振タグ読取装置１１で読取られた前記単価Ａを、次々に累計加算してそれまでの総計料金Ａｔを算出する総計料金算出手段」は、皿５のタグ５Ｔを共振タグ読取装置１１で読取って、総計料金ＡｔをＣＰＵ２１により演算するものであり、本件特許発明９の「前記注文品を載せた器のＩＣタグの読取情報が前記第１アンテナおよび前記第２アンテナにて取得されると、前記注文用搬送レーンにより前記搬送台を前記調理場に戻させる指令を出力する計算手段」は、器のＩＣタグの読取情報を第１アンテナおよび第２アンテナにて取得して、搬送台を調理場に戻させる指令をＣＰＵ等を用いて演算し出力するものと解されるから、両者は、「器のＩＣタグの読取情報が前記第１アンテナにて取得され、演算をする計算手段」である点において共通する。
　したがって、本件特許発明９と引用発明とは、以下の点で一致し、
［一致点３］
　飲食物を載せＩＣタグが取り付けられる器を、調理場から搬送する搬送レーンと、
　前記搬送レーンから取り出されて前記搬送レーンに沿うテーブル側に移動中の器のＩＣタグを読み取る第１アンテナと、
　器のＩＣタグの読取情報が前記第１アンテナにて取得され、演算をする計算手段と、
　を備える器搬送システム。
　以下の点で相違する。
［相違点３−１］
　搬送レーン、アンテナ及び計算手段について、本件特許発明９は、「注文品である」飲食物を載せる器を、「搬送台によって」調理場から搬送する「注文用搬送レーン」と、前記「注文用搬送レーン」から取り出されて前記「注文用搬送レーン」に沿うテーブル側に移動中の器のＩＣタグを読み取る第１アンテナと、「前記テーブルに設置され、前記テーブル上の器のＩＣタグを読み取る第２アンテナ」とを備え、計算手段が「前記注文品を載せた器のＩＣタグの読取情報が前記第１アンテナおよび前記第２アンテナにて取得されると、前記注文用搬送レーンにより前記搬送台を前記調理場に戻させる指令を出力する」のに対し、引用発明は、皿５を搬送するベルトコンベア３、共振タグ読取装置１１及び総計料金算出手段を備えるものの、注文品を搬送台によって搬送する注文用搬送レーンや、共振タグ読取装置１１とは別のテーブルに設置される第２アンテナを備えず、また、総計料金算出手段が前記のような出力を行うものではない点。
［相違点３−２］
　第１アンテナの配置について、本件特許発明９は、「前記注文用搬送レーンにおいて搬送方向と直交する幅方向の端側にあ」るのに対し、引用発明は、「テーブル１Ｔｉに配設され」ている点。
（２）判断
ア　相違点について
　相違点３−１について検討する。
　甲２には、前記第４　２（１）〜（４）の記載によると、寿司皿６を循環搬送する無端状の搬送路５と、注文された寿司皿６を保持板１８に載置して厨房７から搬送するベルトコンベヤ１２とを備える点が記載され、甲３には、前記第４　３（１）〜（３）によると、寿司皿３が載置された循環搬送路９と、注文した寿司１０が載置された寿司皿３を搬送トレー２３に載置して厨房Ｃから搬送する注文搬送路１２とを備える点が記載され、甲４には、前記第４　４（１）〜（３）によると、寿司などを盛った食品皿が巡回するメイン循環装置と、注文品を厨房から搬送するサブ搬送装置ＭＡＴとを備える点が記載されている。
　これらの甲２〜甲４に記載された事項を考慮すると、寿司などの飲食物を載せた皿を搬送するシステムの技術分野において、注文された飲食物を載せた皿を調理場から搬送する注文用搬送レーンを設けることは、本件特許についての出願前から広く知られていたといえる。
　しかしながら、注文用搬送レーンにおいて、注文された寿司を載せた皿を搬送する搬送台を調理場に戻す指令については、甲２〜甲４の記載をみても、甲２の前記第４　２（４）〜（６）に、注文された寿司皿６を載置した保持板１８上から寿司皿６がなくなったことを検知センサ２０が検出すると、保持板１８を後方（厨房７側）に移動させることが記載されているのみであり、注文用搬送レーンから取り出されてテーブル側に移動中の器のＩＣタグを読み取るタグ読取装置と、テーブルに設置され、テーブル上の器のＩＣタグを読み取るタグ読取装置との両者から、注文品を載せた器のＩＣタグの読取情報が取得された際に、搬送台を調理場に戻す指令を出力することについては、何ら記載も示唆もされていない。
　さらに、甲８〜甲１０には、前記３（２）アに記載したように、テーブルに設置され、テーブル上の皿の識別タグを読み取るタグ読取装置を設けることが記載されているものの、注文用搬送レーンについて、何ら記載も示唆もされていないから、このテーブルに設置されたタグ読取装置がテーブル上の皿の識別タグを読み取ったことを、注文用搬送レーンにおける搬送台を調理場に戻すために利用することを何ら示唆するものではない。
　すると、仮に、引用発明の寿司が盛られた皿５を搬送するベルトコンベア３に加えて、注文された寿司を載せた皿を調理場から搬送する注文用搬送レーンを設けることが、当業者が容易に想到し得たものだとしても、注文用搬送レーンから取り出されてテーブル側に移動中の器のＩＣタグを読み取るタグ読取装置と、テーブルに設置され、テーブル上の器のＩＣタグを読み取るタグ読取装置との両者から、注文品を載せた器のＩＣタグの読取情報が取得された際に、搬送台を調理場に戻す指令を出力することまでは、当業者といえども容易に想到し得たものとはいえない。
　そうすると、当業者といえども、引用発明、甲２〜甲４に記載された事項及び甲８〜甲１０に記載された事項に基いて、本件特許発明９の相違点３−１に係る発明特定事項を容易に想到できるものではない。
イ　特許異議申立人の主張について
　特許異議申立人は、特許異議申立書において、「一方、甲第３号証には、飲食客が注文した飲食物の寿司１０を搬送する注文搬送路１２を備えた甲３発明の飲食物搬送装置１が開示されている（段落００１７）。甲３発明は、寿司１０を載せた搬送トレー２３（走行体）が、注文搬送路１２上で店内Ｋと厨房Ｃとを往復する。よって、注文品が搬送台から取り除かれた後、当該搬送台を調理場へ戻すことは自明である。」（特許異議申立書第３７ページ第１行〜第６行）と主張している。
　しかしながら、甲３に記載された事項において、注文した寿司１０が載置された寿司皿３が搬送トレー２３から取り除かれた後、何らかの手段により、搬送トレー２３を厨房Ｃに戻すことは自明であるとしても、甲３には、どのような条件、タイミング、指令等で、搬送トレー２３を厨房Ｃに戻すのかについて、何ら具体的に記載されていないから、甲３の記載を考慮したとしても、注文用搬送レーンから取り出されてテーブル側に移動中の器のＩＣタグを読み取るタグ読取装置と、テーブルに設置され、テーブル上の器のＩＣタグを読み取るタグ読取装置との両者から、注文品を載せた器のＩＣタグの読取情報が取得された際に、搬送台を調理場に戻す指令を出力することを、当業者といえども容易に想到できるものではない。
　したがって、特許異議申立人の前記主張は採用できない。
（３）まとめ
　前記（２）に示したように、本件特許発明９の相違点３−１に係る発明特定事項は、当業者といえども、引用発明、甲２〜甲４に記載された事項及び甲８〜甲１０に記載された事項に基いて、容易に想到できるものではないから、他の相違点について検討するまでもなく、本件特許発明９は、当業者が、引用発明、甲２〜甲４に記載された事項及び甲８〜甲１０に記載された事項に基いて、容易に発明をすることができたものではない。
６　本件特許発明１０について
　請求項１０は、請求項９を引用するものであり、本件特許発明１０も、搬送レーン、アンテナ及び計算手段について、「注文品である」飲食物を載せる器を、「搬送台によって」調理場から搬送する「注文用搬送レーン」と、前記「注文用搬送レーン」から取り出されて前記「注文用搬送レーン」に沿うテーブル側に移動中の器のＩＣタグを読み取る第１アンテナと、「前記テーブルに設置され、前記テーブル上の器のＩＣタグを読み取る第２アンテナ」とを備え、計算手段が「前記注文品を載せた器のＩＣタグの読取情報が前記第１アンテナおよび前記第２アンテナにて取得されると、前記注文用搬送レーンにより前記搬送台を前記調理場に戻させる指令を出力する」いう発明特定事項を備えるものであるから、本件特許発明１０は、前記５で検討した本件特許発明９と同じ理由により、当業者が、引用発明、甲２〜甲４に記載された事項及び甲８〜甲１０に記載された事項に基いて、容易に発明をすることができたものではない。
第６　むすび
　以上のとおりであるから、特許異議の申立ての理由及び証拠によっては、請求項１〜１０に係る特許を取り消すことはできない。
　そして、他に請求項１〜１０に係る特許を取り消す理由を発見しない。
　
　よって、結論のとおり決定する。
【異議決定日】
令和３年６月２日（２０２１．６．２）